(57)【要約】      （修正有）【課題】記録媒体の表示情報が自然消滅あるいは故意に消去されて、改ざんあるいは偽造を実行しても下層に記録された表示情報が顕在化されることにより改ざんあるいは偽造不可能な記録媒体を提供する。【解決手段】少なくとも、基材２４と感熱発色層２３と溶融型熱転写インクリボンのインク層を受容する受像層２１とがこの順に積層され、前記インクリボンに対して加熱手段により所定の熱パターンを印加し、印加された前記熱パターンに応じたパターン２５のインク層が前記受像層２１に転写されると同時に、前記感熱発色層２３に前記熱パターンに応じたパターンの発色が生じるようにした。【選択図】図２
2015003390.tif 000002
【特許請求の範囲】
【請求項１】
改ざん防止可能な記録媒体において、前記記録媒体は、少なくとも、基材と感熱発色層と溶融型熱転写インクリボンのインク層を受容する受像層とがこの順に積層され、前記インクリボンに対して加熱手段により所定の熱パターンを印加し、印加された前記熱パターンに応じたパターンのインク層が前記受像層に転写されると同時に、前記感熱発色層に前記熱パターンに応じたパターンの発色が生じるようにしたことを特徴とする記録媒体。
【請求項２】
前記感熱発色層と前記受像層との間に保護層を設けたことを特徴とする請求項１に記載の記録媒体。
【請求項３】
前記保護層の厚さが０．０５μｍ〜５μｍの範囲にあることを特徴とする請求項２に記載の記録媒体。
【請求項４】
前記パターンの発色が、形成後消去不可能な前記パターンの発色であることを特徴とする請求項１または３に記載の記録媒体。
【発明の詳細な説明】
【技術分野】
【０００１】
本発明は、記録媒体に関し、更に詳しくは改ざん防止性あるいは偽造防止性に優れた記録媒体に関する。
【背景技術】
【０００２】
近年、磁気記録媒体、感熱記録媒体、光学的記録媒体、光磁気記録媒体、半導体記録媒体など種々の記録媒体が開発され実用化されている。記録媒体は、社員証、従業者証、学生証、受験票、食券、入場券、通行証、身分証明書、自動車運転免許証等の免許証類、外国人登録証、会員証、診察券、乗車券、定期券、預貯金通帳、紙幣、商品券、株券、証券、抽選券、馬券、航空券、遊戯券、パスポート、ポイントカード、ＩＤカード、医療カード、図書館利用カード、ガソリン給油カード、キーカード、クレジットカード、プリペイドカード、キャッシュカード、電子マネーカード等多くの用途に展開され使用されている。
【０００３】
これらの中にはカードとして用いられているものも多々ある。カードに記載されている情報は機械で読取られることがあるが、機械読取りを繰り返すことによりカードに表示されている記録情報等が消去してしまうことがある。例えば、電子マネー付き定期券（例を挙げればＳＵＩＣＡ（登録商標））は、自動改札機、券売機、精算機、定期券発行機等で使用する場合や現金のチャージ等を繰り返すと乗車する区間、経由する区間または駅、発行日、発行場所、有効期限、金額等の印字された所定事項が消去して判読不能になる。
【０００４】
ＳＵＩＣＡ（登録商標）は、記載されている情報が消去されたとしても、実際にはカードに内蔵されているＩＣチップに情報が正確に記録されているので、問題はないが、目視で情報が見られないという不都合が生じる。ＩＣチップが内蔵されていないカードなどでは、表面に印字されている記録情報が消えてしまうことによりカード自体の価値がなくなってしまうものもある。また、印字された記録情報の改ざんなどによる不正使用の問題が生じる恐れがある。
【０００５】
そこで、上記のような課題を解決するために挙げられた技術として、特許文献１には、目視による真偽の判断が容易にでき、かつ磁気記録により機械的な書き込み・認識ができる偽造防止用紙とそれを使用した乗車券について開示されている。
【先行技術文献】
【特許文献】
【０００６】
【特許文献１】特開平１１−７８３２６号公報
【発明の概要】
【発明が解決しようとする課題】
【０００７】
特許文献１に記載されている記録層付き偽造防止用紙とそれを使用した乗車券においては、特殊な製紙法による光輝性スレッドを間欠的に露出させることにより偽造防止用紙を形成している。すなわち光輝性スレッドの表出部面の一部の領域に感熱記録層を設けて偽造防止を行っている。しかしながら感熱記録した印字情報それ自体の改ざんあるいは偽造を防止することはできないという課題がある。そこで記録媒体の表示情報が自然消滅あるいは故意に消去されて、改ざんあるいは偽造を実行しても下層に記録された表示情報が顕在化されることにより改ざんあるいは偽造不可能な記録媒体を提供することを目的とするものである。  
【課題を解決するための手段】
【０００８】
そこで、本発明に係わる記録媒体は、以下の各発明により上記課題を解決した。なお、以下の各発明に付した括弧内の符号は、図面に付した符号と対応している。
【０００９】
本発明に係わる第１の発明は、改ざん防止可能な記録媒体において、前記記録媒体は、少なくとも、基材（２４）と感熱発色層（２３）と溶融型熱転写インクリボンのインク層を受容する受像層（２１）とがこの順に積層され、前記インクリボンに対して加熱手段により所定の熱パターンを印加し、印加された前記熱パターンに応じたパターン（２５）のインク層が前記受像層（２１）に転写されると同時に、前記感熱発色層（２３）に前記熱パターンに応じたパターンの発色（２６）が生じるようにしたことを特徴とする記録媒体である。    
【００１０】
本発明に係わる第２の発明は、第１の発明において、前記感熱発色層（２３）と前記受像層（２１）との間に保護層（２２）を設けたことを特徴とする記録媒体である。
【００１１】
本発明に係わる第３の発明は、第２の発明において、前記保護層（２２）の厚さが０．０５μｍ〜５μｍの範囲にあることを特徴とする記録媒体である。
【００１２】
本発明に係わる第４の発明は、第１の発明または第３の発明において、前記パターンの発色（２６）が、形成後消去不可能な前記パターンの発色（２６）であることを特徴とする記録媒体である。
【発明の効果】
【００１３】
本発明の記録媒体によると、受像層に形成されたパターンを消しゴムやコインなどの硬い材質で削ると溶融型熱転写プリンターのサーマルヘッドにより溶融型熱転写インクリボンのインク層を受容する受像層に形成されたパターンが消去されても感熱発色層に形成されたパターンが形成後消去不可能に発色しているので、改ざん防止あるいは偽造防止の効果がある。
【図面の簡単な説明】
【００１４】
【図１】従来の記録媒体における改ざん工程の説明図である。
【図２】本発明に係わる記録媒体における改ざん防止原理の説明図である。
【発明を実施するための形態】
【００１５】
次に、本発明の実施形態について、図面を参照して詳述する。
【００１６】
図１は、従来の記録媒体における改ざん工程の説明図である。図１において、１１は受像層、１２は基材、１３はパターンを表している。
【００１７】
図１では、記録媒体は受像層１１と基材１２から構成されている（Ｓ１）。Ｓ２は熱転写プリンターのサーマルヘッドにより溶融型熱転写インクリボンのインクで転写されたパターン１３が形成された状態を表している。Ｓ３は硬い材質の消しゴムやコイン等でパターン１３が削られた状態を表しており、目視で文字や画像が消えた状態である。
【００１８】
図２は、本発明に係わる記録媒体における改ざん防止原理の説明図である。図２において、２１は受像層、２２は保護層、２３は感熱発色層、２４は基材、２５はパターン、２６はパターンの発色を表している。
【００１９】
本発明の記録媒体は、図２のＰ１に示されるように受像層２１、保護層２２、感熱発色層２３、基材２４から構成されている。
【００２０】
（基材）
基材２４の材料としては、グラシン紙、合成紙（ポリオレフィン系、ポリスチレン系、ポリエステル系等）、上質紙、中質紙、薄葉紙、硫酸紙、パラフィン紙、アート紙、コート紙、キャストコート紙、ポリエステル、ポリアクリレート、ポリカーボネート、ポリウレタン、セルロース誘導体、金属箔、ポリエチレン、エチレンー酢酸ビニル共重合体、ポリプロピレン、ポリスチレン、アクリル、ポリ塩化ビニル等の各種プラスチックフィルム又はシートが好適であるが、これらの材料に限定されるものではない。また、基材２４の厚さとしては、１０μｍ〜７８０μｍが好ましい。さらに望ましくは５０μｍ〜２００μｍである。基材２４が第１の部材と第２の部材から構成されている場合の材料としては、ポリエチレンテレフタレート、ポリブチレンテレフタレート、エチレンテレフタレート−エチレンイソフタレート共重合体等のポリエステル樹脂、ポリエチレン、ポリプロピレン、ポリメチルペンテン等のポリオレフィン樹脂、ポリフッ化ビニル、ポリフッ化ビニリデン、ポリ４フッ化エチレン、エチレン−４フッ化エチレン共重合体等のポリフッ化エチレン系樹脂、ナイロン６、ナイロン６．６等のポリアミド、ポリ塩化ビニル、塩化ビニル−酢酸ビニル共重合体、エチレン−酢酸ビニル共重合体、エチレン−ビニルアルコール共重合体、ポリビニルアルコール、ビニロン等のビニル重合体、生分解性脂肪族ポリエステル、生分解性ポリカーボネート、生分解性ポリ乳酸、生分解性ポリビニルアルコール、生分解性セルロースアセテート、生分解性ポリカプロラクトン等の生分解性樹脂、三酢酸セルロース、セロファン等のセルロース系樹脂、ポリメタクリル酸メチル、ポリメタクリル酸エチル、ポリアクリル酸エチル、ポリアクリル酸ブチル等のアクリル系樹脂、ポリスチレン、ポリカーボネート、ポリアリレート、ポリイミド等の合成樹脂等が挙げられる。
【００２１】
（感熱発色層）
感熱発色層２３としては、電子供与性呈色性有機化合物と電子受容性顕色剤との間の熱発色反応を利用した感熱記録材料を用いた。電子供与性呈色性有機化合物としてのロイコ染料と電子受容性顕色剤としてのフェノール化合物をバインダー中に高濃度分散し塗布したものであり、加熱によりフェノール化合物が溶融すると同時にフェノール性水酸基がロイコ染料を発色させるものである。フェノール性化合物とは、フェノール性水酸基を有する化合物の意味であり、フェノール、ｏ−クレゾール、ｐ−クレゾール、ｐ−エチルフェノール、ｔ−ブチルフェノール、２，６−ジ−ｔ−ブチル−４−メチルフェノール、ノニルフェノール、ドデシルフェノール、スチレン化フェノール、２−２´−メチレン−ビス（４−メチル−６−ｔ−ブチルフェノール）、α−ナフトール、ハイドロキノンモノメチルエーテル、グアヤコール、オイゲノール、ｐ−クロロフェノール、ｐ−ブロモフェノール、ｏ−ブロモフェノール、ｏ−クロロフェノール、２，４，６−トリクロロフェノール、ｏ−フェニルフェノール、ｐ−フェニルフェノール、ｐ−（ｐ−クロロフェニル）フェノール、ｏ−（ｏ−クロロフェニル）フェノール、サリチル酸、ｐ−オキシ安息香酸メチル、ｐ−オキシ安息香酸エチル、ｐ−オキシ安息香酸プロピル、ｐ−オキシ安息香酸オクチル、ｐ−オキシ安息香酸ドデシル、カテコール、ヒドロキノン、レゾルシン、３−メチルカテコール、３−イソプロピルカテコール、ｐ−ｔ−ブチルカテコール、２，５−ジ−ｔ−ブチルヒドロキノン、４，４´−メチレンジフェノール、ビスフェノールＡ、１，２−ジオキシナフタレン、２，３−ジオキシナフタレン、クロルカテコール、ブロモカテコール、２，４−ジヒドロキシベンゾフェノン、フェノールフタレイン、ｏ−クレゾールフタレイン、プロトカテキュー酸メチル、プロトカテキュー酸エチル、プロトカテキュー酸プロピル、プロトカテキュー酸オクチル、プロトカテキュー酸ドデシル、ピロガロール、オキシヒドロキノン、フロログルシン、２，４，６−トリオキシメチルベンゼン、２，３，４−トリオキシエチルベンゼン、２，３，５−トリオキシナフタレン、タンニン酸、フェノール樹脂、没食子酸、没食子酸メチル、没食子酸エチル、没食子酸プロピル、没食子酸ブチル、没食子酸ヘキシル、没食子酸オクチル、没食子酸ドデシル、没食子酸セチル、没食子酸ステアリル等が使用できる。またロイコ染料としては、クリスタルバイオレットラクトン、マラカイトグリーンラクトン等のトリフェニルメタン系；１，２−ベンツー６−ジエチルアミノフルオラン等のフルオラン系；Ｎ−ベンゾイルオーラミン等のオーラミン系；その他フェノチアジン系：スピロピラン系等のロイコ染料が用いられる。感熱発色層２３を形成するには、まず適当な有機溶媒中に、ロイコ染料、フェノール化合物及び必要に応じて用いられる各種添加成分を溶解又は分散させて塗工液を調製する。この際、有機溶媒としては、例えばアルコール系、エーテル系、エステル系、脂肪族炭化水素系、芳香族炭化水素系などを用いることができるが、特にテトラヒドロフランが分散性などに優れ、好適である。ロイコ染料とフェノール化合物の割合については特に制限はないが、ロイコ染料１００質量部に対し、フェノール化合物が、通常５０〜７００質量部、好ましくは１００〜５００質量部の範囲で用いられる。次に、このようにして調製された塗工液を、従来公知の手段で塗工し、乾燥処理することにより、感熱発色層を形成する。乾燥処理温度については特に制限はないが、ロイコ染料が発色しないように低温で乾燥するのが望ましい。このようにして形成された感熱発色層の厚さは、通常１〜１０μｍ、好ましくは２〜７μｍの範囲である。
【００２２】
（保護層）
保護層２２は、受像層２１と感熱発色層２３との間の化学反応を生じにくくする遮断の機能、熱が通りやすい熱伝導性の機能、光透過性の機能、保存性の機能、表面の潤滑性の機能を有するために設けられたものである。保護層２２としては、受像層２１と感熱発色層２３との層間構造を維持するため、受像層２１の可塑性樹脂バインダーの種類に応じて材料を選択した。具体的には、アクリル樹脂、ポリエステル樹脂、ポリ酢酸ビニル樹脂、塩化ビニルー酢酸ビニル共重合体或いはポリオール／イソシアネート、ポリオール／メラミンの組み合わせ等を好適に用いることができる。保護層２２の厚さとしては、０．０５μｍ〜５μｍの範囲が好ましい。厚さが０．０５μｍより薄く形成されると受像層２１と感熱発色層２３との間の接着性が不十分となり、厚さが５μｍを超えると感熱発色層２３に形成されたパターンの発色２６の発色感度が低下するので好ましくない。また、受像層２１が、受像層兼保護層として機能する場合、受像層２１と感熱発色層２３とが相互に干渉せず、それぞれ独立して機能を発揮する場合には、保護層２２は不要である。
【００２３】
（受像層）
受像層２１は、溶融型熱転写プリンターのサーマルヘッドによる溶融型熱転写インクリボンのインク層を受容する層である。受像層２１は従来公知の熱可塑性樹脂、熱硬化性樹脂、化学反応型樹脂、電子線硬化型樹脂、紫外線硬化型樹脂、可視光硬化型樹脂やこれらの混合物が好ましい。受像層の厚さは、０．５μｍ〜５０μｍ（更に好ましくは、３μｍ〜３０μｍ）の範囲にあることが好ましい。また、図示はしていないが、受像層２１の保護層２２側に感熱型接着層を設けることにより、加熱による保護層２２への強固な接着が可能となる。
【００２４】
図２のＰ２は、溶融型熱転写プリンターのサーマルヘッドによる溶融型熱転写インクリボンのインク層を受容する受像層２１上に記録されたパターン２５と、受像層２１に転写されると同時に、感熱発色層２３にパターン２５とほぼ同一のパターンの発色２６が形成されたことを示したものである。
【００２５】
図２のＰ３は、硬質材料等でパターン２５が消失したかあるいは故意に消去させた記録媒体を表示している。この場合、パターン２５が消失したとしてもパターン２５とほぼ同一なパターンの発色２６が形成後消去不可能なパターンであるので、目視で確認することが可能である。
【００２６】
本発明の記録媒体は、具体的には、カード、フィルム、シート、テープ、磁気ディスク、光ディスクとしての用途がある。
【符号の説明】
【００２７】
１１    受像層
１２    基材
１３    パターン
２１    受像層
２２    保護層
２３    感熱発色層
２４    基材
２５    パターン
２６    パターンの発色
【図１】
2015003390.tif 000003
【図２】
2015003390.tif 000004